(57)【要約】      （修正有）【課題】内かごを外かごに体裁よく収容することができると共に、ガタ付き音や損傷が生じるのを防止でき、しかも、内かごを買い物かごとして便利に使用することができる自転車用荷かご装置を提供する。【解決手段】自転車に取り付けられる上端が開口した箱形の外かご３と、外かご３に出し入れ自在に収容される内かご４とを備えた自転車用荷かご装置１であって、前記内かご４は、外かご３に収容した際に外かご３の内面に沿うように箱形に保形されるべく、弾性を有する軟質材により外かご３の内面に沿う箱形に形成されている。【選択図】図１
2014205455.tif 000002
【特許請求の範囲】
【請求項１】
自転車に取り付けられる上端が開口した箱形の外かご（３）と、外かご（３）に出し入れ自在に収容される内かご（４）とを備えた自転車用荷かご装置であって、
前記内かご（４）は、外かご（３）に収容した際に外かご（３）の内面に沿うように箱形に保形されるべく、弾性を有する軟質材により外かご（３）の内面に沿う箱形に形成されていることを特徴とする自転車用荷かご装置。
【請求項２】
前記内かご（４）は、対向する一対の対向側壁（４ａ，４ｂ）にそれぞれ設けた一対の把手（３３）を有しており、外かご（３）から取り出した際に一対の対向側壁（４ａ，４ｂ）の上部側を弾性変形により接近させて一対の把手（３３）を片手で把持して持ち歩けるように、弾性を有していることを特徴とする請求項１に記載の自転車用荷かご装置。
【請求項３】
前記対向側壁（４ａ，４ｂ）に対応する外かご（３）の側壁（３ａ，３ｂ）の上部に被嵌合体（２８）が設けられ、前記対向側壁（４ａ，４ｂ）の上部に、対向側壁（４ａ，４ｂ）が内方に弾性変形するのを規制するように前記被嵌合体（２８）に嵌合する嵌合体（３５）が設けられていることを特徴とする請求項２に記載の自転車用荷かご装置。
【請求項４】
前記嵌合体（３５）は、対向側壁（４ａ，４ｂ）の上部に形成した内嵌合部（３７）と、内嵌合部（３７）の外側に位置する外嵌合部（３８）と、内嵌合部（３７）と外嵌合部（３８）との上端部を連結する連結部（３９）とを逆Ｕ字状に備え、内嵌合部（３７）と外嵌合部（３８）との間に被嵌合体（２８）が嵌合する嵌合溝（４０）が形成されており、把手（３３）を内方に引っ張ったときに、嵌合体（３５）の外嵌合部（３８）が弾性変形により被嵌合体（２８）上を内方に摺動して嵌合体（３５）が被嵌合体（２８）から外れるように構成されていることを特徴とする請求項３に記載の自転車用荷かご装置。
【請求項５】
前記被嵌合体（２８）と嵌合体（３５）との間に、嵌合体（３５）の被嵌合体（２８）に対する上方移動を規制して嵌合体（３５）が被嵌合体（２８）に嵌合した状態に保持する係合機構（４３）が設けられていることを特徴とする請求項４に記載の自転車用荷かご装置。
【請求項６】
前記係合機構（４３）は、被嵌合体（２８）の上部に内方突設した係合突部（４５）と、嵌合体（３５）の上部に設けた係合凹部（４６）とを備え、嵌合体（３５）が被嵌合体（２８）に嵌合したときにこの嵌合状態を保持すべく前記係合突部（４５）が係合凹部（４６）に係合し、把手（３３）を内方へ引っ張ると、嵌合体（３５）が被嵌合体（２８）から外れると同時に係合突部（４５）と係合凹部（４６）との係合が外れるように構成されていることを特徴とする請求項５に記載の自転車用荷かご装置。
【請求項７】
前記把手（３３）は対向側壁（４ａ，４ｂ）の上部中央に配置されていて、その両端部が対向側壁（４ａ，４ｂ）の上端に連結され、両端部よりも内方側の中途部が対向側壁（４ａ，４ｂ）の上端から上方に離間されており、前記嵌合体（３５）は、把手（３３）の両端部間であって把手（３３）の中途部の下方に位置する対向側壁（４ａ，４ｂ）の上部に一体に形成されていることを特徴とする請求項３〜６のいずれかに記載の自転車用荷かご装置。
【請求項８】
前記内かご（４）の底壁（４ｅ）の外周部に下方に凹んだ環状凹部（４８）が設けられ、この環状凹部（４８）に周方向に間隔をおいて複数の排水孔（４９）が上下方向に貫通形成され、
前記複数の排水孔（４９）は外かご（３）の底壁（３ｅ）に設けた開口孔に連通されていることを特徴とする請求項１〜７のいずれかに記載の自転車用荷かご装置。
【請求項９】
外かご（３）は、硬質の骨杆で複数の開口を有する格子状の箱形に形成されると共に、その略全体が透明に形成され、内かご（４）は、外かご（３）の内面を覆うように薄板状の箱形に形成されると共に、その表面の略全体に鮮やかな色彩を有していることを特徴とする請求項１〜８のいずれかに記載の自転車用荷かご装置。
【発明の詳細な説明】
【技術分野】
【０００１】
本発明は、外かごと内かごとを備える自転車用荷かご装置に関するものである。
【背景技術】
【０００２】
自転車用荷かご装置には、自転車に取り付けられる上端が開口した箱形の外かごと、外かごに出し入れ自在に収容される内かごとを備えたものがある。
この種の従来の自転車用荷かご装置には、内かごが外かごと同様に硬質材で上端が開口した硬い箱状に形成され、内かごに上方に突出した把手が設けられ、スーパー等で買い物をする際には、内かごを外かごから取り出して、内かごの把手を把持することにより、内かごを買い物かごとして使用することができるようにしたものがある（例えば特許文献１，２）。
【０００３】
また、他の従来の自転車用荷かご装置には、硬質材で上端が開口した箱状に形成された外かごに、内かごとして可撓性を有する袋物を収容するようにしたものがある（例えば特許文献３）。
【先行技術文献】
【特許文献】
【０００４】
【特許文献１】特開２００９−９６４４０号公報
【特許文献２】登録実用新案第３０１８２２８号公報
【特許文献３】登録実用新案第３０６６０９８号公報
【発明の概要】
【発明が解決しようとする課題】
【０００５】
しかし、前者の従来の場合、外かごに内かごを収容すると、同様な構造の硬質の外かごと内かごとが内外に２重に重なった状態になり、外観上の体裁が悪かった。また、自転車の走行中等に自転車の振動により外かごと内かごとが硬質なもの同士で擦れあったりして、ガタ付き音や損傷を生じ易かった。
また、把手を把持して内かごを持ち歩く際には、内かごは上端が開口した箱状のままであり、内かごを持って買い物をするには、内かごが嵩張ったり、収納した品物が上端開口からまる見えになったりして、買い物には不便であった。
【０００６】
また、後者の従来の場合、外かごに収容した袋物は、その上端開口が閉じた状態又は狭くなった状態になるため、袋物に品物を収納するには、上端開口を広げた状態に保持しながら品物を収納する必要があり、自転車用荷かご装置としては不便であった。
本発明は上記問題点に鑑み、内かごを上端が開口した箱状にして外かごに体裁よく収容することができると共に、外かごと内かごとが自転車の振動等により擦れあってガタ付き音や損傷が生じるのを防止でき、しかも、内かごを外かごから取り出して買い物かごとして便利に使用することができる自転車用荷かご装置を提供することを目的としている。
【課題を解決するための手段】
【０００７】
本発明における課題解決のための具体的手段は、次の通りである。
この技術的課題を解決する本発明の技術的手段は、自転車に取り付けられる上端が開口した箱形の外かご３と、外かご３に出し入れ自在に収容される内かご４とを備えた自転車用荷かご装置であって、
前記内かご４は、外かご３に収容した際に外かご３の内面に沿うように箱形に保形されるべく、弾性を有する軟質材により外かご３の内面に沿う箱形に形成されている点にある。
【０００８】
また、本発明の他の技術的手段は、前記内かご４は、対向する一対の対向側壁４ａ，４ｂにそれぞれ設けた一対の把手３３を有しており、外かご３から取り出した際に一対の対向側壁４ａ，４ｂの上部側を弾性変形により接近させて一対の把手３３を片手で把持して持ち歩けるように、弾性を有している点にある。
また、本発明の他の技術的手段は、前記対向側壁４ａ，４ｂに対応する外かご３の側壁３ａ，３ｂの上部に被嵌合体２８が設けられ、前記対向側壁４ａ，４ｂの上部に、対向側
壁４ａ，４ｂが内方に弾性変形するのを規制するように前記被嵌合体２８に嵌合する嵌合体３５が設けられている点にある。
【０００９】
また、本発明の他の技術的手段は、前記嵌合体３５は、対向側壁４ａ，４ｂの上部に形成した内嵌合部３７と、内嵌合部３７の外側に位置する外嵌合部３８と、内嵌合部３７と外嵌合部３８との上端部を連結する連結部３９とを逆Ｕ字状に備え、内嵌合部３７と外嵌合部３８との間に被嵌合体２８が嵌合する嵌合溝４０が形成されており、把手３３を内方に引っ張ったときに、嵌合体３５の外嵌合部３８が弾性変形により被嵌合体２８上を内方に摺動して嵌合体３５が被嵌合体２８から外れるように構成されている点にある。
【００１０】
また、本発明の他の技術的手段は、前記被嵌合体２８と嵌合体３５との間に、嵌合体３５の被嵌合体２８に対する上方移動を規制して嵌合体３５が被嵌合体２８に嵌合した状態に保持する係合機構４３が設けられている点にある。
また、本発明の他の技術的手段は、前記係合機構４３は、被嵌合体２８の上部に内方突設した係合突部４５と、嵌合体３５の上部に設けた係合凹部４６とを備え、嵌合体３５が被嵌合体２８に嵌合したときにこの嵌合状態を保持すべく前記係合突部４５が係合凹部４６に係合し、把手３３を内方へ引っ張ると、嵌合体３５が被嵌合体２８から外れると同時に係合突部４５と係合凹部４６との係合が外れるように構成されている点にある。
【００１１】
また、本発明の他の技術的手段は、前記把手３３は対向側壁４ａ，４ｂの上部中央に配置されていて、その両端部が対向側壁４ａ，４ｂの上端に連結され、両端部よりも内方側の中途部が対向側壁４ａ，４ｂの上端から上方に離間されており、前記嵌合体３５は、把手３３の両端部間であって把手３３の中途部の下方に位置する対向側壁４ａ，４ｂの上部に一体に形成されている点にある。
【００１２】
また、本発明の他の技術的手段は、前記内かご４の底壁４ｅの外周部に下方に凹んだ環状凹部４８が設けられ、この環状凹部４８に周方向に間隔をおいて複数の排水孔４９が上下方向に貫通形成され、
前記複数の排水孔４９は外かご３の底壁３ｅに設けた開口孔に連通されている点にある。
【００１３】
また、本発明の他の技術的手段は、外かご３は、硬質の骨杆で複数の開口を有する格子状の箱形に形成されると共に、その略全体が透明に形成され、内かご４は、外かご３の内面を覆うように薄板状の箱形に形成されると共に、その表面の略全体に鮮やかな色彩を有している点にある。
【発明の効果】
【００１４】
本発明によれば、内かごは、外かごに収容した際に外かごの内面に沿うように箱形に保形されるべく、弾性を有する軟質材により外かごの内面に沿う箱形に形成されているので、内かごを上端が大きく開口した箱状にして外かごに体裁よく収容することができる。また、内かごは弾性を有する軟質材により構成されているため、外かごと内かごとが自転車の振動等により擦れあってガタ付き音や損傷が生じるのを防止できる。
【００１５】
しかも、内かごを外かごから取り出して買い物かごとして使用する場合には、例えば、内かごの対向側壁の上端部等を挟持することによって、対向側壁を弾性変形により近接させて、内かごの上端開口が閉じ又は狭くなった状態で持ち歩くことが可能になり、内かごを買い物かごとして体裁よくて便利に使用することができる。
【図面の簡単な説明】
【００１６】
【図１】本発明の第１実施形態を示す荷かご装置の側面断面図である。
【図２】同荷かご装置の正面断面図である。
【図３】同荷かご装置の底面図である。
【図４】同荷かご装置の前側上部の拡大側面断面図である。
【図５】同荷かご装置の分解斜視図である。
【図６】同内かごを外かごから取り出す際の斜視図である。
【図７】同内かごを外かごに収容する際の斜視図である。
【図８】同荷かご装置を自転車に取り付けた状態の斜視図である。
【図９】第２実施形態を示す荷かご装置の正面断面図である。
【図１０】同外かごの底壁部の平面図である。
【発明を実施するための形態】
【００１７】
以下、本発明の実施の形態を図面に基づいて説明する。
図１〜図８は本発明の第１実施形態を示している。図１〜図８において、自転車用荷かご装置１は、自転車に取り付けられる上端が開口した箱形の外かご３と、外かご３に出し入れ自在に収容される内かご４とを備えている。
外かご３は、透明な硬質の合成樹脂であるポリカーボネートにより一体成形されており、硬質の骨杆で複数の開口を有する格子状の箱形に形成されると共に、その全体が透明に形成されている。
【００１８】
即ち、外かご３は、水平な楕円形状に形成された上環状骨杆６ａと中環状骨杆６ｂと下環状骨杆６ｃとを上下３段に備えると共に、これら環状骨杆６ａ，６ｂ，６ｃを上下に連結する複数の縦骨杆６ｄとを備え、骨杆により前側壁３ａと後側壁３ｂと左側壁３ｃと右側壁３ｄと底壁３ｅとを一体に有する左右に長い長方形状又は楕円形状の箱形に形成されている。前後側壁３ａ，３ｂ及び左右側壁３ｃ，３ｄは、底壁３ｅの外周部から上方に向けて徐々に広がるように上方広がりに傾斜されている。
【００１９】
前記上環状骨杆６ａと中環状骨杆６ｂと複数の縦骨杆６ｄとは、断面が外かご３の内面（内かご４の外面）に向けて開口したＵ字状に形成され、下環状骨杆６ｃと後述する一対の連結骨杆６ｅとは断面が下方に向けて開口したＵ字状に形成されている。
外かご３の底壁３ｅは、外周側の下環状骨杆６ｃと中央側の水平な底板部１２とこれらを連結する左右の連結骨杆６ｅとを有し、底板部１２の前後両端部は下環状骨杆６ｃの前後両端部と一体に形成され、底板部１２の左右両端部の前後方向中央部は左右の連結骨杆６ｅにより下環状骨杆６ｃの左右両端部に連結されている。
【００２０】
底壁３ｅの左右には、底板部１２と下環状骨杆６ｃの左右両端部との間に位置すると共に、連結骨杆６ｅにより前後に仕切られた開口窓１３（開口孔）が設けられている。
底板部１２には、下方に突出した前後リブ１５と左右リブ１６とが複数列ずつ設けられており、底板部１２の左右方向の中央部に一対の前後リブ１５間に位置する取付溝１７が形成され、取付溝１７内に上下に貫通した前後方向の取付孔１９（開口孔）が前後一対形成されている。
【００２１】
また、底板部１２には前後リブ１５間又は左右リブ１６間に位置する多数の貫通孔２０（開口孔）が設けられている。
外かご３の後側壁３ｂの中央部に、取付板部２３が設けられ、この取付板部２３に上下方向の取付長孔２４が左右に対応して上下２段に亘って形成されている。取付板部２３の左右両側には縦リブ２５が一体に設けられ、取付板部２３は縦リブ２５を介して中環状骨杆６ｂの後部と一体に形成（連結）され、取付板部２３の上下両端は上環状骨杆６ａ及び下環状骨杆６ｃに一体に形成されている。
【００２２】
外かご３の前側壁３ａの上部と後側壁３ｂの上部とに前後一対の被嵌合体２８が設けられている。この被嵌合体２８は、上環状骨杆６ａの前部と後部とをそれぞれ下方に向けて湾曲してなる湾曲部２９を形成し、この湾曲部２９の上側に上方突設したものであり、被嵌合体２８は、湾曲部２９と一体に形成されていて、上端が左右方向に直線状であって下端が湾曲部２９に沿って下方に湾曲した垂直な板状に形成されている。
【００２３】
内かご４は、外かご３に収容した際に外かご３の内面に沿うように箱形に保形されるべく、弾性を有する軟質材であるエラストマーにより外かご３の内面に沿う箱形に形成されている。また、内かご４は、例えば橙色、黄色、赤色、緑色等に着色されたエラストマーにより、外かご３の内面を覆うように薄板状の箱形に一体形成されており、その表面全体に鮮やかな色彩を有している。
【００２４】
従って、内かご４は、外かご３の場合と同様に、前側壁４ａ（対向側壁４ａ）と後側壁３ｂ（対向側壁４ｂ）と左側壁４ｃと右側壁４ｄと底壁４ｅとを一体に有する左右に長い長方形状又は楕円形状の箱形に形成されている。前後側壁４ａ，４ｂ及び左右側壁４ｃ，４ｄは、底壁４ｅの外周部から上方に向けて徐々に広がるように上方広がりに傾斜され、前側壁４ａと後側壁４ｂとが後述する把手が設けられる一対の対向側壁とされている。
【００２５】
内かご４は、対向する一対の対向側壁４ａ，４ｂ（前後側壁４ａ，４ｂ）からそれぞれ上方に突出した前後一対の把手３３を一体に有しており、外かご３から取り出した際に一対の対向側壁４ａ，４ｂの上部側を弾性変形により接近させて一対の把手３３を片手で把持して持ち歩けるように、十分な弾性を有している。
把手３３は対向側壁４ａ，４ｂの上部中央に配置されていて、その両端部が対向側壁４ａ，４ｂの上端に連結され、両端部よりも内方側の中途部が対向側壁４ａ，４ｂの上端から上方に離間されている。
【００２６】
対向側壁４ａ，４ｂの上部に、対向側壁４ａ，４ｂが内方に弾性変形するのを規制するように外かご３の被嵌合体２８に嵌合する嵌合体３５が設けられている。
嵌合体３５は、把手３３の両端部間であって把手３３の中途部の下方に位置する対向側壁４ａ，４ｂの上部に一体に形成されていて、図４及び図７に示すように、対向側壁４ａ，４ｂの上部に形成した内嵌合部３７と内嵌合部３７の外側に位置する外嵌合部３８と、内嵌合部３７と外嵌合部３８との上端部を連結する連結部３９とを逆Ｕ字状に備え、内嵌合部３７と外嵌合部３８との間に被嵌合体２８が嵌合する嵌合溝４０が形成されており、嵌合体３５が被嵌合体２８に嵌合しているときに、把手３３を内方（矢印ｂ方向）に引っ張ったときに、図１及び図４に２点鎖線で示す如く嵌合体３５の外嵌合部３８が弾性変形により被嵌合体２８上を内方に摺動して嵌合体３５が被嵌合体２８から外れるように構成されている。
【００２７】
前記被嵌合体２８と嵌合体３５との間に、嵌合体３５の被嵌合体２８に対する上方移動を規制して嵌合体３５が被嵌合体２８に嵌合した状態に保持する係合機構４３が設けられている。
係合機構４３は、被嵌合体２８の上部の左右方向中央部に内方突設した係合突部４５と、係合突部４５に対応して嵌合体３５の上部に設けた係合凹部４６（係合孔）とを備える。
【００２８】
なお、図例では、係合機構４３の係合凹部４６は、嵌合溝４０の上部を嵌合体３５の内方に連通するように設けた貫通孔により構成しているが、係合凹部４６は、貫通孔でなく嵌合体３５の上部に設けた凹溝により構成するようにしてもよい。
而して、嵌合体３５が被嵌合体２８に嵌合したときにこの嵌合状態を保持すべく係合突部４５が係合凹部４６に係合し、把手３３を上方（図１及び図４に示す矢印ａ方向）に引っ張っても、内嵌合部３７の上端である係合凹部４６の下側開口縁部が係合突部４５に引っ掛かって係合突部４５と係合凹部４６との係合が外れることがなく、嵌合体３５が被嵌合体２８に嵌合した状態に保持され、把手３３を内方（図１及び図４に示す矢印ｂ方向）へ引っ張ると、嵌合体３５が被嵌合体２８から外れると同時に係合突部４５と係合凹部４６との係合が外れるように構成されている。
【００２９】
内かご４の底壁３ｅの外周部に下方に凹んだ環状凹部４８が設けられ、この環状凹部４８に周方向に間隔をおいて複数の排水孔４９が上下方向に貫通形成されている。複数の排水孔４９は、外かご３の底壁３ｅに設けられた開口窓１３又は取付孔１９（開口孔）にそれぞれ連通されている。
複数の排水孔４９のうち左右両端部の排水孔４９の２つは、外かご３の底壁３ｅの連結骨杆６ｅに対応して貫通形成されているが、これら排水孔４９は連結骨杆６ｅの上側外周面を通して開口窓１３に連通されており、排水孔４９から流れ落ちた雨水は連結骨杆６ｅの上側外周面を通って開口窓１３から外かご３の外部に流れ落ちるようになっている。
【００３０】
前記外かご３は、例えば図８及び図１に示すように、自転車５３のハンドル前方に着脱自在に取り付けられている。
即ち、Ｌ字形のステー５６が自転車５３の前ホーク５７のホークステム５８に前方突設されており、このステー５６の先端部と挟持板５９との間で外かご３の取付板部２３を挟持し、取付板部２３の取付長孔２４に挿通したボルトナット６０でステー５６と挟持板５９とを締め付けることによって、ステー５６に外かご３の後側壁３ｂが固定されている。また、自転車５３の前輪車軸等に上方突設したステー６３上に外かご３の底壁３ｅを載置して、上挟持板６５と下挟持板６６とでステー６３の上部と底壁３ｅとを挟持し、底壁３
ｅの取付孔１９に挿通したボルトナット６７で上挟持板６５と下挟持板６６とを締め付けることによって、外かご３の底壁３ｅがステー６３上に固定されている。これにより、外かご３が自転車５３にステー５６，６３を介して着脱自在に取り付けられている。
【００３１】
上記実施形態によれば、自転車５３に取り付けた外かご３に内かご４を収容するには、図５に示すように、外かご３の前側壁３ａと後側壁３ｂと左右側壁３ｃ，３ｄとに内かご４の前側壁４ａと後側壁４ｂと左右側壁４ｃ，４ｄとが重なるように、内かご４を外かご３の上端開口から挿入して外かご３に内嵌させればよい。
この際に、図７に示すように、嵌合体３５の嵌合溝４０に被嵌合体２８を挿入させることにより、一対の嵌合体３５が被嵌合体２８に簡単に嵌合すると共に、係合機構４３の係合突部４５が係合凹部４６に係合する。また、上記の如く内かご４を外かご３に内嵌させる際に、嵌合体３５が被嵌合体２８に嵌合することなく、嵌合体３５の外嵌合部３８が被嵌合体２８の内側に入った場合には、その後に外嵌合部３８を弾性変形させて上側にめくり上げた後、被嵌合体２８の外側に引っ張り出すことにより、一対の嵌合体３５をそれぞれ被嵌合体２８に簡単に嵌合させることができ、このとき同時に係合機構４３の係合突部４５と係合凹部４６とを係合させることができる。
【００３２】
以上のようにして、内かご４を外かご３に収容して、一対の嵌合体３５をそれぞれ被嵌合体２８に嵌合しておけば、内かご４はその弾力性によって外かご３の内面に沿うように箱形に保形され、内かご４を上端が大きく開口した箱状にして外かご３に体裁よく収容することができる。また、内かご４は弾性を有する軟質材により構成されているため、外かご３と内かご４とが自転車５３の振動等により擦れあってガタ付き音や損傷が生じるのを防止できる。
【００３３】
また、一対の嵌合体３５が被嵌合体２８にそれぞれ嵌合しているため、自転車５３の走行中に自転車５３が大きく振動等しても、内かご４の対向側壁４ａ，４ｂが弾性変形により互いに接近して、外かご３の内面に沿うように箱形に保形された状態が損なわれるのを確実に防止できるし、内かご４が外かご３内でガタ付かないようになし得る。
また、被嵌合体２８と嵌合体３５との間に、嵌合体３５の被嵌合体２８に対する上方移動を規制して嵌合体３５が被嵌合体２８に嵌合した状態に保持する係合機構４３が設けられているので、例えば、内かご４が上方に引っ張られることにより、嵌合体３５が被嵌合体２８から不測に外れて、内かご４が外かご３から上方に取り出されて盗難されるのを防止できる。
【００３４】
また、雨天時等に自転車５３を走行しても、内かご４に入った雨水を複数の排水孔４９と外かご３の開口孔とを通して外かご３の外部にスムーズに排出させることができ、雨水等が内かご４に溜まったままになるのを防止できる。
また、外かご３は透明な格子状の箱形になっているので、外かご３の格子の開口を通して又は外かご３の透明な骨杆等を通して内かご４の表面の鮮やか色彩が外部に現れるため、自転車用荷かご装置１の全体が非常に美麗でかつ体裁のよいものになる。
【００３５】
次に、内かご４を外かご３から取り出して買い物かごとして使用する場合には、図６に示すように、例えば片手で一対の把手３３を内方に引っ張って挟持して行けば、図１及び図４に２点鎖線で示すように、一対の把手３３が内方へ引っ張られることにより、嵌合体３５が被嵌合体２８から外れると同時に係合突部４５と係合凹部４６との係合が外れ、一対の対向側壁４ａ，４ｂの上部側が弾性変形により接近する。その後、一対の把手３３を片手で把持して内かご４を持ち上げることにより、内かご４を外かご３からその上方に取り出すことができる。
【００３６】
しかも、本実施形態の場合、嵌合体３５は、把手３３の両端部間であって把手３３の中途部の下方に位置する対向側壁４ａ，４ｂの上部に一体に形成されているので、一対の把手３３に連動して対向側壁４ａ，４ｂの上部及び嵌合体３５をより大きく確実に内方移動させることができるため、一対の把手３３を内方に引っ張ることによって嵌合体３５を被嵌合体２８から効率よく楽に外すことが可能になり、それだけ内かご４を外かご３からより簡単に取り外すことができるようになる。
【００３７】
従って、嵌合体３５が被嵌合体２８に嵌合した状態に保持する係合機構４３が設けられ
ているにも拘わらず、内かご４を外かご３から簡単に取り出すことができるし、取り出した後は、一対の把手３３を片手で把持して内かご４を容易に持ち歩くことができる。しかも、このとき、一対の対向側壁４ａ，４ｂの上部側を弾性変形により接近させて、内かご４の上端開口を閉じ又は狭めることができるため、内かご４に収納した品物が上端開口を通して外部からまる見えになることもなくなり、内かご４を買い物かごとして体裁よく便利に使用することができる。
【００３８】
また、外かご３は上端が開口した箱形に形成されているため、外かご３から内かご４を取り外した状態でも、外かご３に比較的大きな品物等を収納しておくことができる。
図９及び図１０は第２実施形態を示している。図９及び図１０において、下環状骨杆６ｃはその断面がＵ字状に代えてＬ字状に形成されている。また、外かご３の底壁３ｅは、外周側の下環状骨杆６ｃとその内側の水平な底板部１２とを有し、底板部１２の外周部は下環状骨杆６ｃと一体に形成され、底板部１２の外周部全体が下環状骨杆６ｃと連結されている。従って、前記開口窓１３はなくなっている。
【００３９】
底板部１２の中央部側には、上面側から下方に没入した長方形の上凹溝５０が多数形成されると共に、上凹溝５０内に貫通孔２０（開口孔）が複数（図例では２つ）ずつ設けられている。底板部１２の左右方向の中央部に前後に長い１つの取付溝１７が上面側から下方に没入形成され、取付溝１７内に上下に貫通した前後方向の取付孔１９（開口孔）が１つ形成されている。
【００４０】
また、底板部１２の左右両側から前外周部及び後外周部に亘って下面側から上方に没入した平面視コの字状の下凹溝５１が左右一対形成されている。これらの下凹溝５１内に、内かご４の排水孔４９に対応して複数の連通孔５２（開口孔）が形成されている。
取付溝１７内の前記取付孔１９が内かご４の排水孔４９の１つに対応していると共に、取付溝１７内に排水孔１９に対応する１つの連通孔５２（開口孔）が形成されている。
【００４１】
従って、内かご４の複数の排水孔４９は、外かご３の底壁３ｅに設けられた取付孔１９又は連通孔５２（開口孔）にそれぞれ連通されている。その他の点は前記第１実施形態の場合と同様の構成である。
なお、前記実施形態では、外かご３は、透明な硬質の合成樹脂であるポリカーボネートにより一体成形されており、硬質の骨杆で複数の開口を有する格子状の箱形に形成されると共に、その全体が透明に形成されているが、これに代え、外かご３は、一部に不透明な部分を有していてもよい。また、外かご３をポリカーボネート以外の硬質の合成樹脂で形成してもよいし、金属等の不透明な硬質材で格子状の箱形に形成し、又は板状の箱形に形成してもよい。
【００４２】
また、前記実施形態では、内かご４は、外かご３に収容した際に外かご３の内面に沿うように箱形に保形されるべく、エラストマーにより外かご３の内面に沿う箱形に形成され、その表面の全体に鮮やかな色彩を有しているが、これに代え、内かご４を、エラストマーに代えて弾性を有する軟質材であるシリコン、ポリ塩化ビニル（ＰＶＣ）その他の合成樹脂で形成するようにしてもよい。また、内かご４はその表面の一部に透明な部分や白色又は黒色の部分を有していてもよい。
【００４３】
また、前記実施形態では、内かご４の前後側壁４ａ，４ｂにそれぞれ把手３３と嵌合体３５とが設けられ、外かご３の前後側壁３ａ，３ｂに被嵌合体２８が設けられているが、これに代え、内かご４の左右側壁４ｃ，４ｄにそれぞれ把手３３と嵌合体３５とを設け、外かご３の左右側壁３ｃ，３ｄに被嵌合体２８を設けるようにしてもよい。
また、前記実施形態では、外かご３及び内かご４は長方形状又は楕円形状の箱形に形成されているが、これに代え、外かご３及び内かご４を円形状、六角形状その他の箱形に形成してもよいことは勿論である。
【００４４】
また、本発明の自転車用荷かご装置は自転車以外にバイク等の２輪車や３輪車等にも取り付けることが可能である。
【符号の説明】
【００４５】
１      自転車用荷かご装置
３      外かご
３ａ    前側壁
３ｂ    後側壁
３ｅ    底壁
４      内かご
４ａ    前側壁（対向側壁）
４ｂ    後側壁（対向側壁）
４ｅ    底壁
１３    開口窓（開口孔）
１９    取付孔（開口孔）
２８    被嵌合体
３３    把手
３５    嵌合体
３７    内嵌合部
３８    外嵌合部
３９    連結部
４０    嵌合溝
４３    係合機構
４５    係合突部
４６    係合凹部
４８    環状凹部
４９    排水孔
５２    連通孔
【図１】
2014205455.tif 000003
【図２】
2014205455.tif 000004
【図３】
2014205455.tif 000005
【図４】
2014205455.tif 000006
【図５】
2014205455.tif 000007
【図６】
2014205455.tif 000008
【図７】
2014205455.tif 000009
【図８】
2014205455.tif 000010
【図９】
2014205455.tif 000011
【図１０】
2014205455.tif 000012